(57)【要約】【課題】リチウムイオン二次電池の内部から排出された粉塵（直径５μｍ以下の微粒子を含む粉塵）を冷却ガス流路内で捕捉することができる電池システムを提供する。【解決手段】電池システム８０は、１又は複数のリチウムイオン二次電池１００の異常を検出する異常検出手段（抵抗測定装置７１）と、冷却ガス流路Ｆ（冷却媒体流路）内に液体を噴霧する液体噴霧装置１０と、液体噴霧装置１０を制御する制御手段（コントローラ５０）とを備える。制御手段１０は、異常検出手段において１又は複数のリチウムイオン二次電池１００の異常が検出されたとき、液体噴霧装置１０によって冷却ガス流路Ｆ内に液体を噴霧させる。【選択図】図１
2014192028.tif 000002
【特許請求の範囲】
【請求項１】
１又は複数のリチウムイオン二次電池と、
上記１又は複数のリチウムイオン二次電池を収容する収容ケースであって、上記１又は複数のリチウムイオン二次電池を冷却する気体からなる冷却媒体を自身の内部に導入する冷却媒体導入口、及び、上記冷却媒体を自身の外部に排出する冷却媒体排出口を有し、上記冷却媒体が流れる冷却媒体流路を構成する収容ケースと、
上記１又は複数のリチウムイオン二次電池の異常を検出する異常検出手段と、
上記冷却媒体流路内に液体を噴霧する液体噴霧装置と、
上記液体噴霧装置を制御する制御手段と、を備え、
上記制御手段は、上記異常検出手段において上記１又は複数のリチウムイオン二次電池の異常が検出されたとき、上記液体噴霧装置によって上記冷却媒体流路内に上記液体を噴霧させる
電池システム。
【請求項２】
請求項１に記載の電池システムであって、
前記冷却媒体の流速を制御する流速制御手段を備え、
上記流速制御手段は、前記異常検出手段において前記１又は複数のリチウムイオン二次電池の異常が検出されたとき、前記冷却媒体流路内における前記冷却媒体の流速を低減させる制御を行う
電池システム。
【請求項３】
請求項２に記載の電池システムであって、
前記流速制御手段は、前記異常検出手段において前記１又は複数のリチウムイオン二次電池の異常が検出されたとき、前記冷却媒体流路内における前記冷却媒体の流れを実質的に停止させる制御を行う
電池システム。
【請求項４】
請求項１〜請求項３のいずれか一項に記載の電池システムであって、
前記収容ケースの底部は、前記液体噴霧装置によって噴霧された後に当該底部の内面上に落ちた前記液体を、前記冷却媒体流路の外部に排出する液体排出口を有し、
上記底部の内面は、前記液体排出口に向かって下方に傾斜する傾斜面を有する
電池システム。
【発明の詳細な説明】
【技術分野】
【０００１】
本発明は、リチウムイオン二次電池を備える電池システムに関する。
【背景技術】
【０００２】
従来、二次電池に異常が発生した際の安全性を確保するための技術として、様々なものが提案されている（例えば、特許文献１，２参照）。
特許文献１には、電気自動車用バッテリの安全装置が開示されている。具体的には、この安全装置は、複数のバッテリを接続して電気自動車の走行モータを駆動するバッテリ装置と、バッテリ装置が固定収納されるバッテリケースと、電気自動車またはバッテリの異常を検出して異常信号を発する異常検出手段とを備えている。さらに、この安全装置は、異常検出手段によって異常信号が発せられたときに、冷却剤等をバッテリケース内に噴射する非常装置を備えている。
【０００３】
また、特許文献２には、電極体を収容した外装容器、前記外装容器に露出して設けられた電極端子、及び、前記外装容器のガスを排気するガス排気機構（安全弁）をそれぞれ有する複数の二次電池を、前記ガス排気機構が同一方向を向いた状態で配列した電池群と、前記電池群の周囲に冷却空気を流す冷却流路、及び、この冷却流路から区画され前記ガス排気機構から放出されたガスを排気するガス排気流路を有し、前記電極群を収容するケースとを備える組電池が開示されている。この組電池は、さらに、前記冷却流路の給気口および排気口にそれぞれ設けられた開閉弁と、前記ガス排気流路内のガスを検出する検出器と、前記検出器の検出値が所定の閾値を越えた際に、前記開閉弁により冷却流路の排気口および給気口を遮蔽する制御部とを備えている。
【先行技術文献】
【特許文献】
【０００４】
【特許文献１】特開平９−７４６０３号公報
【特許文献２】特開２０１０−１９２２０９号公報
【発明の概要】
【発明が解決しようとする課題】
【０００５】
ところで、近年、ハイブリッド自動車等の駆動用電源として、リチウムイオン二次電池を用いることがある。具体的には、複数のリチウムイオン二次電池を収容ケース内に収容して、ハイブリッド自動車等の車両に搭載する。収容ケースとしては、例えば、複数のリチウムイオン二次電池を冷却する冷却媒体（気体）を収容ケースの内部に導入する冷却媒体導入口、及び、上記冷却媒体を収容ケースの外部に排出する冷却媒体排出口を有し、冷却媒体が流れる冷却媒体流路を構成するものが用いられる。
【０００６】
そして、リチウムイオン二次電池の温度上昇を抑制するために、送風機等を用いて、冷却媒体を、収容ケースの冷却媒体導入口から収容ケース内に導入させ、収容ケース内の冷却媒体流路を通して、冷却媒体排出口から外部に排出させるようにする。この過程で、リチウムイオン二次電池に冷却媒体を接触させることで、リチウムイオン二次電池を冷却させることができる。
【０００７】
ところで、リチウムイオン二次電池に異常が発生し、電池内圧が上昇して開弁圧（安全弁が開弁する電池内圧）に達すると、リチウムイオン二次電池に設けられている安全弁が開弁する。このとき、リチウムイオン二次電池の内部から、直径５μｍ以下の微粒子（例えば、カーボン微粒子やマンガン微粒子など）を含む粉塵が、外部（冷却媒体流路）に排出されることがあった。直径が５μｍより大きい微粒子は、これを人間が吸入した場合、そのほとんどが、鼻、咽頭、気管、気管支で捕捉排泄されるが、直径が５μｍ以下の微粒子は、空気中に浮遊し、これを吸入した場合、肺に停留しやすいといわれている。このため、直径が５μｍ以下の微粒子を含む粉塵を、車室内や車外に飛散させることなく、冷却媒体流路内で捕捉することが求められていた。
【０００８】
本発明は、かかる現状に鑑みてなされたものであって、リチウムイオン二次電池の内部から排出された粉塵（直径５μｍ以下の微粒子を含む粉塵）を冷却媒体流路内で捕捉することができる電池システムを提供することを目的とする。
【課題を解決するための手段】
【０００９】
本発明の一態様は、１又は複数のリチウムイオン二次電池と、上記１又は複数のリチウムイオン二次電池を収容する収容ケースであって、上記１又は複数のリチウムイオン二次電池を冷却する気体からなる冷却媒体を自身の内部に導入する冷却媒体導入口、及び、上記冷却媒体を自身の外部に排出する冷却媒体排出口を有し、上記冷却媒体が流れる冷却媒体流路を構成する収容ケースと、上記１又は複数のリチウムイオン二次電池の異常を検出する異常検出手段と、上記冷却媒体流路内に液体を噴霧する液体噴霧装置と、上記液体噴霧装置を制御する制御手段と、を備え、上記制御手段は、上記異常検出手段において上記１又は複数のリチウムイオン二次電池の異常が検出されたとき、上記液体噴霧装置によって上記冷却媒体流路内に上記液体を噴霧させる電池システムである。
【００１０】
上述の電池システムは、１又は複数のリチウムイオン二次電池（以下、単に、電池ともいう）の異常を検出する異常検出手段と、冷却媒体流路内に液体を噴霧する液体噴霧装置と、液体噴霧装置を制御する制御手段とを備える。そして、制御手段は、異常検出手段においてリチウムイオン二次電池の異常が検出されたとき、液体噴霧装置によって冷却媒体流路内に液体を噴霧させる制御を行う。
【００１１】
このため、リチウムイオン二次電池の異常により、電池内圧が上昇して開弁圧に達し、リチウムイオン二次電池に設けられている安全弁が開弁して、リチウムイオン二次電池の内部から、直径５μｍ以下の微粒子（例えば、カーボン微粒子やマンガン微粒子など）を含む粉塵が、外部（冷却媒体流路）に排出された場合でも、液体噴霧装置によって冷却媒体流路内に噴霧した液体（霧状の液体）により、粉塵を冷却媒体流路内で捕捉することができる。
【００１２】
なお、異常検出手段において検出されるリチウムイオン二次電池の異常としては、例えば、当該電池に設けられている安全弁が開弁した異常、安全弁が開弁したと間接的に判断できる（推定できる）異常、安全弁の開弁に繋がる（電池内圧が上昇して開弁圧にまで達する危険性がある）異常が挙げられる。安全弁が開弁したと間接的に判断できる異常としては、例えば、過充電等により、電池温度や電池電圧が、電池内圧が開弁圧に達するときの値にまで上昇した異常が挙げられる。また、安全弁の開弁に繋がる異常としては、例えば、電池温度の異常な上昇、電池電圧値の異常な上昇または低下（過充電または過放電）などが挙げられる。また、リチウムイオン二次電池への衝撃を検知する手段を設け、リチウムイオン二次電池が破損しうる所定値以上の衝撃を検知したとき、リチウムイオン二次電池の異常（破損による異常）として検出するようにしても良い。
【００１３】
また、噴霧した液体の粒径は、５〜１００μｍ（より好ましくは、１０〜５０μｍ）の範囲内が好ましい。粒径が５μｍ未満の場合は、粉塵を構成する微粒子（粒径が５μｍ以下）に対して小さいため、粉塵が吸着（捕捉）し難くなる傾向にある。
【００１４】
また、粒径が小さい液体のみでは、冷却媒体流路を構成する壁面（収容ケースの内壁面等）に当たってもはじかれ易く、冷却媒体流路を構成する壁面（収容ケースの内壁面等）を濡らし難くなる傾向にある。特に、粒径が５μｍ未満の液体のみでは、冷却媒体流路を構成する壁面（収容ケースの内壁面等）を濡らし難くなる傾向にある。このため、粒径が小さい（特に５μｍ未満）液体では、「冷却媒体流路を構成する壁面を濡らし、この濡れた壁面に粉塵を効果的に付着（吸着）させて捕捉すること」が難しくなる傾向にある。
従って、噴霧した液体の粒径は、５μｍ以上が好ましく、より好ましくは１０μｍ以上である。
【００１５】
一方、噴霧した液体の粒径が大き過ぎると、沈降速度が大きくなり過ぎるため、冷却媒体流路内において空中を漂う時間が短くなり過ぎて、粉塵が吸着し難くなる傾向にある。特に、粒径が１００μｍより大きくなると、冷却媒体流路内において空中を漂う時間が極めて短くなり、粉塵を効果的に吸着（捕捉）することが難しくなる傾向にある。従って、噴霧した液体の粒径は、１００μｍ以下が好ましく、より好ましくは５０μｍ以下である。
【００１６】
従って、前記の電池システムであって、前記液体噴霧装置から噴霧された液体全体のうち、５〜１００μｍの範囲内の直径を有する液体（霧状になった液滴）が占める割合が５０％以上である（５〜１００μｍの範囲内の粒径の相対度数が０．５以上である）電池システムが好ましい。
【００１７】
さらに、上記の電池システムであって、前記液体噴霧装置から噴霧された液体全体のうち、１０〜５０μｍの範囲内の直径を有する液体が占める割合が３０％以上である（１０〜５０μｍの範囲内の粒径の相対度数が０．３以上である）電池システムが好ましい。
【００１８】
さらに、上記の電池システムであって、前記冷却媒体の流速を制御する流速制御手段を備え、上記流速制御手段は、前記異常検出手段において前記１又は複数のリチウムイオン二次電池の異常が検出されたとき、前記冷却媒体流路内における前記冷却媒体の流速を低減させる制御を行う電池システムとすると良い。
【００１９】
上述の電池システムでは、異常検出手段においてリチウムイオン二次電池の異常が検出されたとき、流速制御手段が、冷却媒体流路内における冷却媒体の流速を低減させる制御を行う。具体的には、例えば、送風機（ブロワー）を用いて冷却媒体流路内に冷却媒体を流している場合は、送風機のファンの回転速度を低減（または回転を停止）させる制御を行う。
【００２０】
上述のように制御することにより、冷却媒体流路内における冷却媒体の流速が低減するので、リチウムイオン二次電池の異常により安全弁が開弁して、リチウムイオン二次電池の内部から直径５μｍ以下の微粒子を含む粉塵が排出された場合には、この粉塵が冷却媒体流路を下流側に流れてゆき難くなる（冷却媒体流路外へ排出され難くなる）。これにより、液体噴霧装置によって冷却媒体流路内に噴霧した液体（霧状の液体）により、粉塵を冷却媒体流路内で捕捉しやすくなる。
【００２１】
さらに、上記の電池システムであって、前記流速制御手段は、前記異常検出手段において前記１又は複数のリチウムイオン二次電池の異常が検出されたとき、前記冷却媒体流路内における前記冷却媒体の流れを実質的に停止させる制御を行う電池システムとすると良い。
【００２２】
上述の電池システムでは、異常検出手段においてリチウムイオン二次電池の異常が検出されたとき、流速制御手段は、冷却媒体流路内における冷却媒体の流れを実質的に停止させる制御を行う。ここで、「冷却媒体流路内における冷却媒体の流れを実質的に停止させる」とは、完全に停止させる場合の他、極僅かに冷却媒体の流れがあるが停止しているにほぼ等しい状態をも含むものである。具体的には、例えば、送風機（ブロワー）を用いて冷却媒体流路内に冷却媒体を流している場合は、送風機のファンの回転を完全に停止させる制御を行う場合が挙げられる。また、送風機のファンの回転を極低速にする制御するようにしても良い。また、送風機のファンについて、正回転と逆回転とを低速で交互に行うように制御しても良い。
【００２３】
上述のように制御することにより、冷却媒体流路内における冷却媒体の流れが実質的に停止するので、リチウムイオン二次電池の異常により安全弁が開弁して、リチウムイオン二次電池の内部から直径５μｍ以下の微粒子を含む粉塵が排出された場合には、この粉塵が冷却媒体流路内を下流側に流れてゆくのを抑制することができる（冷却媒体流路外へ排出されるのを抑制できる）。これにより、液体噴霧装置によって冷却媒体流路内に噴霧した液体（霧状の液体）により、粉塵を冷却媒体流路内で捕捉しやすくなる。
【００２４】
さらに、上記いずれか一項に記載の電池システムであって、前記収容ケースの底部は、前記液体噴霧装置によって噴霧された後に当該底部の内面上に落ちた前記液体を、前記冷却媒体流路の外部に排出する液体排出口を有し、上記底部の内面は、前記液体排出口に向かって下方に傾斜する傾斜面を有する電池システムとすると良い。
【００２５】
上述の電池システムでは、収容ケースの底部が、液体噴霧装置によって噴霧された後に当該底部の内面上に落ちた液体を、冷却媒体流路（収容ケース）の外部に排出する液体排出口を有している。これにより、液体噴霧装置によって噴霧された後に収容ケースの底部内面上に落ちた液体を、適切に、冷却媒体流路（収容ケース）の外部に排出することができる。なお、液体排出口を通じて冷却媒体流路の外部に排出した液体は、回収専用の容器内に回収して保存するようにしても良いし、液体噴霧装置（その液体容器）に戻して再利用するようにしても良い。
【００２６】
さらに、上述の電池システムでは、収容ケースの底部の内面が、液体排出口に向かって下方（鉛直方向下方）に傾斜する傾斜面を有している。これにより、液体噴霧装置によって噴霧された後に収容ケースの底部の内面上に落ちた液体が、傾斜面の傾斜に沿って、液体排出口に向かって流れてゆくようになる。従って、収容ケースの底部の内面上に落ちた液体を、スムーズに、液体排出口から冷却媒体流路（収容ケース）の外部に排出することができる。
【００２７】
さらに、上記の電池システムであって、前記電池システムは、自動車の電源として当該自動車に搭載された電池システムであり、前記収容ケースは、上記自動車の室外に配置されてなり、前記冷却媒体導入口及び前記冷却媒体排出口は、連結流路を介して、上記自動車の室内に連結されてなり、前記液体排出口は、上記自動車の室外に位置する連結管を介して、上記自動車の室外に配置された容器に連結されてなる電池システムとすると良い。
【００２８】
上述の電池システムは、自動車の電源として当該自動車に搭載されている。この電池システムでは、収容ケースは自動車の室外に配置されているが、冷却媒体導入口及び冷却媒体排出口は、連結流路を介して自動車の室内に連結されている。すなわち、リチウムイオン二次電池を冷却する冷却媒体として、自動車の室内の空気を用いており、この冷却媒体を循環させている。従来、このような構造の場合、電池の安全弁が開弁して電池内部から粉塵が排出された場合、自動車の室内に戻ってゆく冷却媒体によって粉塵が自動車の室内に運ばれる虞があった。しかしながら、上述の電池システムでは、前述のように、液体噴霧装置により噴霧した液体により、粉塵を冷却媒体流路内で捕捉するので、粉塵が自動車の室内に運ばれるのを防止できる。
【００２９】
ところで、収容ケースの底部の内面上に落ちた液体には、電池内部から排出された粉塵（直径５μｍ以下の微粒子を含む粉塵）が含まれるので、この液体が自動車の室内に進入しないようにするのが好ましい。これに対し、上述の電池システムでは、液体排出口が、自動車の室外に位置する連結管を介して、自動車の室外に配置された容器に連結されている。すなわち、液体排出口から排出される液体の流路を全て自動車の室外に配置している。これにより、液体排出口から排出される液体が自動車の室内に進入しないようにできる。なお、「自動車の室外に配置された容器」は、回収専用の容器でも良いし、液体噴霧装置の液体容器であっても良い。
【図面の簡単な説明】
【００３０】
【図１】実施形態にかかる電池システムの概略図である。
【図２】実施形態にかかるリチウムイオン二次電池の斜視図である。
【図３】同電池の断面図である。
【図４】収容ケースの下側収容部材（底部）の斜視図である。
【図５】図４のＢ−Ｂ矢視断面図である。
【図６】液体噴霧装置から噴霧された液体（ミスト）の粒径分布図である。
【図７】変形形態１にかかる電池システムの概略図である。
【図８】同電池システムの説明図である。
【図９】変形形態２にかかる電池システムの概略図である。
【図１０】変形形態３にかかる電池システムの概略図である。
【図１１】変形形態４にかかる電池システムの概略図である。
【発明を実施するための形態】
【００３１】
（実施形態）
次に、本発明の実施形態にかかる電池システム８０について、図面を参照しつつ説明する。電池システム８０は、図１に示すように、複数のリチウムイオン二次電池１００（以下、電池１００ともいう）と、これら（電池１００）を収容する収容ケース４０とを備えている。なお、電池システム８０は、図示しない自動車の電源として当該自動車に搭載されている。電池１００を収容した収容ケース４０は、自動車の室外（床下）に配置されている。
【００３２】
収容ケース４０は、上側収容部材２０、下側収容部材３０、上流側ダクト４５、及び、下流側ダクト４６を有している。上流側ダクト４５は、収容ケース４０内の電池１００を冷却する気体からなる冷却媒体（以下、冷却ガスと称す）を収容ケース４０の内部に導入するガス導入口（特許請求の範囲に記載の「冷却媒体導入口」に相当する）を構成している。また、下流側ダクト４６は、冷却ガスを収容ケース４０の外部に排出するガス排出口（特許請求の範囲に記載の「冷却媒体排出口」に相当する）を構成している。この収容ケース（上側収容部材２０、下側収容部材３０、上流側ダクト４５、下流側ダクト４６）は、冷却ガスが流れる冷却ガス流路Ｆを構成している。なお、本実施形態では、冷却ガスとして、自動車室内の空気Ｇを用いている。
【００３３】
電池１００は、列置方向（図１において左右方向）に一列に配置されている。なお、それぞれの電池１００は、その両端部底面（図２及び図３において左右端部下面）が、下側収容部材３０の鍔部３４，３４（図４参照）の上に載置される態様で、収容ケース４０内に配置されている。これらの電池１００は、電気的に直列に接続されている。隣り合う電池１００の間には、それぞれ、図示しない介在部材が配置されており、電池１００と介在部材との間にも、空気Ｇ（冷却ガス）が流通可能（図１において上下方向に流通可能）な冷却ガス流路Ｆ（特許請求の範囲に記載の「冷却媒体流路」に相当する）が形成されている。
【００３４】
電池１００は、図２及び図３に示すように、矩形箱状の電池ケース本体１１１と、電池ケース本体１１１の内部に収容された電極体１５０とを備えるリチウムイオン二次電池である。さらに、電池１００は、電池ケース本体１１１の開口を閉塞する板状の電池ケース蓋１１３を備えている。電池ケース本体１１１と電池ケース蓋１１３とは、溶接により一体とされ、電池ケース１１０を構成している。
【００３５】
電池ケース蓋１１３の長手方向の中央部には、安全弁１１３ｊが設けられている。この安全弁１１３ｊは、電池ケース蓋１１３と一体的に形成されて、電池ケース蓋１１３の一部をなしている。安全弁１１３ｊは、電池ケース蓋１１３の他の部分よりも薄く形成されると共に、その上面には溝部１１３ｊｖが形成されている。これにより、安全弁１１３ｊは、電池１００（電池ケース１１０）の内圧（電池ケース１００内の気体により生じる圧力）が所定の開弁圧に達した際に作動（開弁）する。即ち、安全弁１１３ｊは、電池１００の内圧が開弁圧に達したときに、溝部１１３ｊｖが破断することで開弁して、電池ケース１１０の内部のガスを外部に放出する。
【００３６】
電極体１５０は、帯状の正極板１５５、負極板１５６、及びセパレータ１５７を扁平形状に捲回した扁平型の捲回電極体である。
正極板１５５は、アルミニウム箔からなる正極基材と、この正極基材の表面の一部に配置された正極合材層とを有している。正極合材層は、正極活物質等を含んでいる。正極基材のうち、正極合材層が塗工されていない部位を、正極合材層未塗工部１５１ｂという（図３参照）。なお、本実施形態では、正極活物質として、ＬｉＮｉ1/3Ｃｏ1/3Ｍｎ1/3Ｏ2を用いている。
【００３７】
負極板１５６は、銅箔からなる負極基材と、この負極基材の表面の一部に配置された負極合材層とを有している。負極合材層は、負極活物質等を含んでいる。負極基材のうち、負極合材層が塗工されていない部位を、負極合材層未塗工部１５８ｂという。なお、本実施形態では、負極活物質として、カーボン（黒鉛）を用いている。
【００３８】
さらに、電池１００は、電池ケース本体１１１の内部で電極体１５０に接続すると共に、電池ケース蓋１１３を貫通して外部に延出する電極端子部材（正極端子部材１３０及び負極端子部材１４０）を備えている。詳細には、正極端子部材１３０の電極体接続部１３４が、電極体１５０の正極合材層未塗工部１５１ｂに溶接されている。また、負極端子部材１４０の電極体接続部１４４が、電極体１５０の負極合材層未塗工部１５８ｂに溶接されている。
【００３９】
さらに、本実施形態の電池システム８０は、図１に示すように、収容ケース４０の上流側ダクト４５に設けらた送風機（ブロワー）６３と、この送風機６３を制御する流速制御装置６１を備えている。また、ガス導入口４５は、送風機６３及び図示しない連結管を介して、自動車室内に連結されている。また、ガス排出口４６は、図示しない連結管を介して自動車室内に連結されている。すなわち、本実施形態の電池システム８０では、電池１００を冷却する冷却ガスとして、自動車室内の空気Ｇを用いており、この冷却ガスを循環させるようにしている。
【００４０】
具体的には、流速制御装置６１の制御によって、送風機６３の内部に設けられているファンを駆動（回転）させることにより、自動車室内の空気Ｇを、上流側ダクト４５を通じて、収容ケース４０の内部に供給する。収容ケース４０の内部に供給された空気Ｇは、図１に矢印で示すように、電池１００の上方から下方に向かって、電池１００の間を通過してゆき、その後、下流側ダクト４６を通じて、収容ケース４０の外部に排出される。この間において、冷却ガスである空気Ｇが電池１００に接触することで、電池１００を冷却することができる。
【００４１】
さらに、本実施形態の電池システム８０は、コントロールユニット５０と、これに接続された抵抗測定装置７１とを備えている（図１参照）。さらに、本実施形態の電池システム８０では、各々の電池１００の表面に、ＰＴＣ素子７３が接合されている。このＰＴＣ素子７３は、温度変化に伴って自身の電気抵抗が変化する温度センサであり、電池１００の温度が異常に上昇したとき、ＰＴＣ素子７３の電気抵抗が急激に増大する。各々の電池１００に設けられているＰＴＣ素子７３は、図示しない接続線によって電気的に直列に接続されて、抵抗測定装置７１に接続されている。
【００４２】
電池システム８０に含まれる電池１００のいずれかにおいて異常昇温したときには、当該電池１００のＰＴＣ素子７３の抵抗値が飛躍的に上昇する。このとき、抵抗測定装置７１において、ＰＴＣ素子７３の抵抗値の異常な上昇が検出され、これによって、いずれかの電池１００において異常（異常昇温）が発生したことが検出される。次いで、異常検出信号が、抵抗測定装置７１からコントロールユニット５０に送信される。抵抗測定装置７１からの異常検出信号を受信したコントロールユニット５０は、電池システム８０に含まれる電池１００のいずれかにおいて異常昇温が発生したと判断する。
【００４３】
さらに、本実施形態の電池システム８０は、液体噴霧装置１０を備えている。この液体噴霧装置１０は、液体容器１１、噴射装置１３、及び、ノズル１５を有している。液体容器１０内には、液体（本実施形態では、水）が収容されている。噴射装置１３は、液体容器１０内の液体を高圧でノズル１５に供給して、ノズル１５から液体を噴霧（霧状に噴射）させるための装置である。噴射装置１３としては、例えば、公知のポンプやアキュームレータなどを用いることができる。ノズル１５は、収容ケース４０の上流側ダクト４５及び下流側ダクト４６に設けられており、供給された液体（水）を霧状に噴射するものである。これにより、液体噴霧装置１０によって、収容ケース４０内（冷却ガス流路Ｆ内）に、液体（水）を噴霧することができる。その結果、本実施形態では、収容ケース４０内（冷却ガス流路Ｆ内）に霧状の液体（ミスト）を発生させることができる。
【００４４】
この液体噴霧装置１０は、コントロールユニット５０によって制御される。コントロールユニット５０は、前述のように、電池システム８０に含まれる電池１００のいずれかにおいて異常昇温が発生したと判断すると、噴射装置１３を作動させる。これにより、液体容器１０内の液体がノズル１５から噴霧され、収容ケース４０内（冷却ガス流路Ｆ内）に液体を噴霧することができる。
【００４５】
なお、本実施形態では、抵抗測定装置７１が、特許請求の範囲に記載の「異常検出手段」に相当する。また、コントロールユニット５０が、特許請求の範囲に記載の「制御手段」に相当する。
【００４６】
ところで、電池１００の温度が異常昇温するときは、電池１００の内圧が上昇して開弁圧に達する危険性がある（可能性が高い）。電池１００の安全弁１１３ｊが開弁すると、電池１００の内部から、ガスと共に、直径５μｍ以下の微粒子（カーボン微粒子など）を含む粉塵が、電池外部（冷却ガス流路Ｆ内）に排出される虞がある。本実施形態の電池システム８０では、前述のように、電池１００を冷却する冷却ガスとして自動車室内の空気Ｇを用いており、この冷却ガスを循環させている。従来、このような構造の場合、電池の安全弁が開弁して電池内部から粉塵が排出された場合、自動車の室内に戻ってゆく冷却ガスによって粉塵が自動車の室内に運ばれる虞があった。
【００４７】
これに対し、本実施形態の電池システム８０では、上述のように、液体噴霧装置１０によって、収容ケース４０内（冷却ガス流路Ｆ内）に液体を噴霧して、霧状の液体（ミスト）を発生させている。これにより、異常昇温した電池１００の安全弁１１３ｊが開弁して、電池１００の内部から直径５μｍ以下の微粒子を含む粉塵が電池外部（冷却ガス流路Ｆ内）に排出された場合でも、冷却ガス流路Ｆ内に噴霧した液体（ミスト）により、その粉塵を冷却ガス流路Ｆ内で捕捉することができる。これにより、電池１００内から排出された粉塵が、自動車室内や自動車の外部に飛散しないようにできる。
【００４８】
また、以下の理由により、液体を噴霧することにより収容ケース４０内（冷却ガス流路Ｆ内）に発生させる霧状の液体（ミスト）の粒径は、５〜１００μｍの範囲内（より好ましくは、１０〜５０μｍの範囲内）が好ましい。
【００４９】
粒径が５μｍ未満の液体（ミスト）は、粉塵を構成する微粒子（粒径が５μｍ以下）に対して小さいため、粉塵が吸着（捕捉）し難くなる傾向にある。また、粒径が小さい液体（ミスト）は、冷却ガス流路Ｆを構成する壁面（収容ケース４０の内壁面４０ｂ等）に当たってもはじかれ易く、冷却ガス流路Ｆを構成する壁面（収容ケース４０の内壁面４０ｂ等）を濡らし難くなる傾向にある。特に、粒径が５μｍ未満の液体（ミスト）では、冷却ガス流路Ｆを構成する壁面を濡らし難くなる。このため、粒径が小さい（特に５μｍ未満）の液体（ミスト）では、冷却ガス流路Ｆを構成する壁面を濡らし、この濡れた壁面に粉塵を効果的に付着（吸着）させて捕捉することが難しくなる傾向にある。
従って、収容ケース４０内（冷却ガス流路Ｆ内）に発生させる霧状の液体（ミスト）の粒径は、５μｍ以上が好ましく、より好ましくは１０μｍ以上である。
【００５０】
一方、液体（ミスト）の粒径が大き過ぎると、沈降速度が大きくなり過ぎるため、冷却ガス流路Ｆ内において空中を漂う時間が短くなり過ぎて、粉塵が吸着し難くなる傾向にある。特に、粒径が１００μｍより大きくなると、冷却ガス流路Ｆ内において空中を漂う時間が極めて短くなり、粉塵を効果的に吸着（捕捉）することが難しくなる傾向にある。従って、収容ケース４０内（冷却ガス流路Ｆ内）に発生させる霧状の液体（ミスト）の粒径は、１００μｍ以下が好ましく、より好ましくは５０μｍ以下である。
【００５１】
これに対し、本実施形態の電池システム８０では、液体噴霧装置１０により液体を噴霧することで、収容ケース４０内（冷却ガス流路Ｆ内）に、５〜１００μｍの範囲内の粒径を有する水滴を含む霧状の液体（ミスト）を発生させる。さらには、１０〜５０μｍの範囲内の粒径を有する水滴を含む霧状の液体（ミスト）を発生させる。具体的には、液体噴霧装置１０により液体を噴霧することで、収容ケース４０内（冷却ガス流路Ｆ内）に、５〜１００μｍの範囲内の粒径を有する液滴（水滴）が全体に占める割合が５０％以上である（５〜１００μｍの範囲内の粒径の相対度数が０．５以上である）霧状の液体（ミスト）を発生させることができる。詳細には、液体噴霧装置１０により液体を噴霧することで、１０〜５０μｍの範囲内の粒径を有する液滴（水滴）が全体に占める割合が３０％以上である（１０〜５０μｍの範囲内の粒径の相対度数が０．３以上である）霧状の液体（ミスト）を発生させることができる。
【００５２】
これにより、本実施形態の電池システム８０では、異常昇温した電池１００の安全弁１１３ｊが開弁して、電池１００の内部から直径５μｍ以下の微粒子を含む粉塵が電池外部（冷却ガス流路Ｆ内）に排出された場合において、液体噴霧装置１０によって冷却ガス流路Ｆ内に噴霧した液体（ミスト）により、その粉塵を冷却ガス流路Ｆ内で適切に（効果的に）捕捉することができる。
【００５３】
具体的には、液体噴霧装置１０によって冷却ガス流路Ｆ内に噴霧した液体（特に５〜１００μｍの範囲内の粒径の水滴）に、冷却ガス流路Ｆ内において空中を漂う粉塵を確実に吸着させることができる。さらには、液体噴霧装置１０によって冷却ガス流路Ｆ内に噴霧した液体（特に、５〜１００μｍの範囲内の粒径の水滴）により、冷却ガス流路Ｆを構成する壁面を適切に濡らすことができる。具体的には、上側収容部材２０の内壁面２０ｂ、下側収容部材３０の内壁面３０ｂ、上流側ダクト４５の内壁面４５ｂ、及び、下流側ダクト４６の内壁面４６ｂを、噴霧した液体（ミスト）により濡らすことができる。その結果、噴霧した液体（ミスト）で濡れた壁面に粉塵を効果的に付着（吸着）させて捕捉することができる。これにより、電池１００内から排出された粉塵が、自動車室内や自動車の外部に飛散しないようにできる。
【００５４】
図６は、液体噴霧装置１０によって液体を噴霧することにより、冷却ガス流路Ｆ内に発生させた霧状の液体（ミスト）の粒径分布図である。なお、この粒径分布のデータは、レーザー法（フランホーファー回折法）によって、冷却ガス流路Ｆ内に発生させた霧状の液体（ミスト）の粒径分析を行って得たものである。図６に示す粒径分布から、液体噴霧装置１０によって、冷却ガス流路Ｆ内に、５〜１００μｍの範囲内（さらには、１０〜５０μｍの範囲内）の粒径を有する水滴を含む霧状の液体（ミスト）を発生させることができることがわかる。
【００５５】
より具体的には、図６から、液体噴霧装置１０から噴霧された液体（ミスト）全体のうち、５〜１００μｍの範囲内の直径を有する液体（霧状になった液滴）が占める割合が５０％以上である（５〜１００μｍの範囲内の粒径の相対度数が０．５以上である）ことがわかる。詳細には、１０〜５０μｍの範囲内の粒径を有する液体（霧状になった液滴）が全体に占める割合が３０％以上である（１０〜５０μｍの範囲内の粒径の相対度数が０．３以上である）ことがわかる。このように、５〜１００μｍの範囲内の粒径を有する液体（霧状になった液滴）が占める割合を高くすることで、効果的に、直径５μｍ以下の微粒子を含む粉塵を補足することができる。
【００５６】
また、本実施形態の電池システム８０では、抵抗測定装置７１において電池１００の異常が検出されたとき、コントロールユニット５０は、電池１００の異常昇温が発生したと判断すると共に、流速制御装置６１に対し、冷却ガス流路Ｆ内における冷却ガス（空気Ｇ)の流れを実質的に停止させる旨の停止信号を送信する。この停止信号を受信した流速制御装置６１は、冷却ガス流路Ｆ内における冷却ガス（空気Ｇ)の流れを実質的に停止させる制御を行う。より具体的には、送風機６３の内部に設けられているファンの回転を停止させる制御を行って、冷却ガス流路Ｆ内における冷却ガス（空気Ｇ)の流れを実質的に停止させる。
【００５７】
これにより、冷却ガス流路Ｆ内における冷却ガス（空気Ｇ)の流れが実質的に停止するので、電池１００の安全弁１１３ｊが開弁して、電池１００の内部から直径５μｍ以下の微粒子を含む粉塵が排出された場合において、この粉塵が冷却ガス流路Ｆを下流側に流れてゆくのを抑制できる（冷却ガス流路Ｆ外へ排出されるのを抑制できる）。従って、電池１００の内部から排出された粉塵を、収容ケース４０内に止めておくことができる。これにより、液体噴霧装置１０によって冷却ガス流路Ｆ内（収容ケース４０内）に噴霧した液体（ミスト）により、その粉塵を冷却ガス流路Ｆ内（収容ケース４０内）で適切に捕捉することができる。なお、本実施形態では、流速制御装置６１が、特許請求の範囲に記載の「流速制御手段」に相当する。
【００５８】
また、本実施形態の電池システム８０では、下側収容部材３０の底部３１（収容ケース４０の底部に相当する）が、液体排出口３３を有している（図１、図４、図５参照）。これにより、液体噴霧装置１０によって噴霧された後に下側収容部材３０の底部３１の内面３２上に落ちた液体（液滴）を、液体排出口３３を通じて、冷却ガス流路Ｆ（収容ケース４０）の外部に排出することができる。なお、液体排出口３３は、自動車室外に位置する連結管３８を介して、自動車室外に配置された図示しない回収容器に連結されている。
【００５９】
これにより、液体噴霧装置１０によって噴霧された後に下側収容部材３０の底部３１の内面３２上に落ちた液体（液滴）を、適切に、冷却ガス流路Ｆ（収容ケース４０）の外部に排出して、図示しない回収容器内に回収することができる。
【００６０】
しかも、図４及び図５に示すように、下側収容部材３０の底部３１の内面３２は、液体排出口３３に向かって下方（鉛直方向下方）に傾斜する傾斜面３２ｂ、３２ｃ、３２ｄ、３２ｅを有している。これにより、液体噴霧装置１０によって噴霧された後に下側収容部材３０の底部３１の内面３２上に落ちた液体（液滴）が、傾斜面３２ｂ、３２ｃ、３２ｄ、３２ｅの傾斜に沿って、液体排出口３３に向かって流れてゆくようになる。従って、下側収容部材３０の底部３１の内面３２上に落ちた液体を、スムーズに、液体排出口３３から冷却ガス流路Ｆ（収容ケース４０）の外部に排出することができる。
【００６１】
さらに、図１に示すように、上流側ダクト４５の内底面４５ｃ及び下流側ダクト４６の内底面４６ｃは、下側収容部材３０の底部３１の内面３２に向かって下方（鉛直方向下方）に傾斜する傾斜面となっている。これにより、液体噴霧装置１０のノズル１５から噴霧された後に上流側ダクト４５の内底面４５ｃまたは下流側ダクト４６の内底面４６ｃ上に落ちた液体（液滴）は、下側収容部材３０の底部３１の内面３２に向かって流れてゆくようになる。その後、その液体は、下側収容部材３０の底部３１の内面３２上に落ちることで、傾斜面３２ｂ、３２ｃ、３２ｄ、３２ｅの傾斜に沿って、液体排出口３３に向かって流れてゆき、液体排出口３３から冷却ガス流路Ｆ（収容ケース４０）の外部に排出することができる。
【００６２】
ところで、下側収容部材３０の底部３１の内面３２（収容ケース４０の底部の内面）上に落ちた液体には、電池１００の内部から排出された有害な粉塵が含まれるので、自動車の搭乗者の安全を確保するため、この液体が自動車の室内に進入しないようにする必要がある。
【００６３】
これに対し、本実施形態の電池システム８０では、液体排出口３３が、自動車の室外に位置する連結管３８を介して、自動車の室外に配置された回収容器（図示なし）に連結されている。すなわち、液体排出口３３から排出される液体の流路を全て自動車の室外に配置している。これにより、液体排出口３３から排出される液体が自動車の室内に進入しないようにできるので、自動車の搭乗者の安全を確保することができる。
【００６４】
（変形形態１）
次に、本発明の変形形態１にかかる電池システム２８０について、図面を参照しつつ説明する。本変形形態１の電池システム２８０は、実施形態の電池システム８０と比較して、リチウムイオン二次電池の異常を検出する方法（手段）が異なり、その他については同様である。従って、ここでは、実施形態と異なる点を中心に説明し、同様な点については説明を省略または簡略化する。
【００６５】
実施形態では、各々の電池１００の表面に、温度センサとしてのＰＴＣ素子７３を配置した。そして、これらのＰＴＣ素子７３を、図示しない接続線によって電気的に直列に接続して、抵抗測定装置７１に接続した。これにより、抵抗測定装置７１において、ＰＴＣ素子７３の抵抗値の異常な上昇が検出された場合には、コントロールユニット５０において、電池システム８０に含まれる電池１００のいずれかにおいて異常昇温が発生したと判断し、液体噴霧装置１０により冷却ガス流路Ｆ（収容ケース４０）内に液体を噴霧するようにした。
【００６６】
これに対し、本変形形態１では、各々の電池１００の表面にＰＴＣ素子７３を配置することなく、各々の電池１００の安全弁１１３ｊの表面に、電線２７３を接合している（図７、図８参照）。この電線２７３は、抵抗測定装置２７１に電気的に接続されている。なお、電線２７３としては、安全弁１１３ｊが開弁したとき（溝部１１３ｊｖが破断したとき）に、当該安全弁に接合されている箇所において、溝部１１３ｊｖと共に破断（断線）するものを用いている。
【００６７】
従って、電池システム２８０に含まれる電池１００のいずれかにおいて、安全弁１１３ｊが開弁したときは、当該安全弁１１３に接合されている箇所において電線２７３が破断（断線）するので、抵抗測定装置７１において電気抵抗値の異常な上昇が検出される。すなわち、抵抗測定装置２７１において、電気抵抗値の異常な上昇が検出されることで、電池１００の異常（安全弁１１３ｊが開弁した異常）が検出される。このとき、異常検出信号が、抵抗測定装置２７１からコントロールユニット２５０に送信される。抵抗測定装置２７１からの異常検出信号を受信したコントロールユニット２５０は、電池システム２８０に含まれる電池１００のいずれかにおいて安全弁１１３ｊが開弁したと判断する。
【００６８】
コントロールユニット２５０は、電池システム２８０に含まれる電池１００のいずれかにおいて安全弁１１３ｊが開弁したと判断すると、噴射装置１３を作動させる。これにより、液体容器１０内の液体がノズル１５から噴霧され、収容ケース４０内（冷却ガス流路Ｆ内）に霧状の液体（ミスト）が発生する。この液体（ミスト）により、安全弁１１３ｊの開弁によって電池１００の内部から電池外部（冷却ガス流路Ｆ内）に排出された粉塵（直径５μｍ以下の微粒子を含む粉塵）を、冷却ガス流路Ｆ内で適切に捕捉することができる。その結果、電池１００内から排出された粉塵が、自動車室内や自動車の外部に飛散しないようにできる。
【００６９】
なお、本変形形態１では、抵抗測定装置２７１が、特許請求の範囲に記載の「異常検出手段」に相当する。また、コントロールユニット２５０が、特許請求の範囲に記載の「制御手段」に相当する。
【００７０】
（変形形態２）
次に、本発明の変形形態２にかかる電池システム３８０について、図面を参照しつつ説明する。本変形形態２の電池システム３８０は、実施形態の電池システム８０と比較して、冷却ガス流路Ｆ内に冷却ガス（空気Ｇ）を流すための送風機（ブロワー）及びその設置場所、並びに、液体噴霧装置のノズルの数が異なり、その他については同様である。従って、ここでは、実施形態と異なる点を中心に説明し、同様な点については説明を省略または簡略化する。
【００７１】
実施形態では、送風機（ブロワー）６３を、収容ケース４０の上流側ダクト４５に設けた。これに対し、本変形形態２では、図９に示すように、送風機（ブロワー）６５を、収容ケース４０の下流側ダクト４６に設けている。これにより、流速制御装置６１の制御によって、送風機６５の内部に設けられているファンを駆動（回転）させることにより、自動車室内の空気Ｇを吸引するようにして、上流側ダクト４５を通じて、収容ケース４０の内部に供給する。収容ケース４０の内部に供給された空気Ｇは、図９に矢印で示すように、電池１００の上方から下方に向かって、電池１００の間を通過してゆき、その後、下流側ダクト４６及び送風機６５を通じて、収容ケース４０の外部に排出される。この間において、冷却ガスである空気Ｇが電池１００に接触することで、電池１００を冷却することができる。
【００７２】
また、実施形態の液体噴霧装置１０では、ノズル１５を、収容ケース４０の上流側ダクト４５及び下流側ダクト４６に設けた。これに対し、本変形形態２の液体噴霧装置３１０では、ノズル１５を、下流側ダクト４６にのみ設けている。このような液体噴霧装置３１０でも、ノズル１５から液体（水）を噴霧することで、収容ケース４０内（冷却ガス流路Ｆ内）に霧状の液体（ミスト）を発生させることができる。
【００７３】
本変形形態２の場合、主に、下流側ダクト４６内に霧状の液体（ミスト）を漂わせることができ、且つ、下流側ダクト４６の内壁面４６ｂ及び送風機６５の内側（ファンなど）を、噴霧した液体（ミスト）により濡らすことができる。その結果、液体（ミスト）で濡れた下流側ダクト４６の内壁面４６ｂ及び送風機６５の内部（ファンなど）に、電池１００の安全弁１１３ｊを通じて排出された粉塵を、効果的に付着（吸着）させて捕捉することができる。これにより、電池１００内から排出された粉塵が、自動車室内や自動車の外部に飛散しないようにできる。
【００７４】
（変形形態３）
次に、本発明の変形形態３にかかる電池システム４８０について、図面を参照しつつ説明する。本変形形態３の電池システム４８０は、実施形態の電池システム８０と比較して、収容ケースの形態、冷却ガス流路Ｆ内に冷却ガス（空気Ｇ）を流すための送風機（ブロワー）及びその設置場所、並びに、液体噴霧装置のノズルの数が異なり、その他については同様である。従って、ここでは、実施形態と異なる点を中心に説明し、同様な点については説明を省略または簡略化する。
【００７５】
本変形形態３の収容ケース４４０は、実施形態の収容ケース４０と異なり、下流側ダクト４６を、電池１００の列置方向（図１０において左右方向）について、上流側ダクト４５と同じ側（図１０において左側）の下方に配置している。さらに、送風機（ブロワー）６５を、収容ケース４４０の下流側ダクト４６に設けている。
【００７６】
これにより、流速制御装置６１の制御によって、送風機６５の内部に設けられているファンを駆動（回転）させることにより、自動車室内の空気Ｇを吸引するようにして、上流側ダクト４５を通じて、収容ケース４４０の内部に空気Ｇを供給する。収容ケース４４０の内部に供給された空気Ｇは、図１０に矢印で示すように、電池１００の上方から下方に向かって、電池１００の間を通過してゆき、その後、下流側ダクト４６及び送風機６５を通じて、収容ケース４４０の外部に排出される。この間において、冷却ガスである空気Ｇが電池１００に接触することで、電池１００を冷却することができる。
【００７７】
また、本変形形態３の液体噴霧装置４１０では、実施形態の液体噴霧装置１０と異なり、ノズル１５を、下流側ダクト４６にのみ設けている。このような液体噴霧装置３１０でも、収容ケース４４０内（冷却ガス流路Ｆ内）に、ノズル１５から液体（水）を噴霧して霧状の液体（ミスト）を発生させることができる。本変形形態３でも、主に、下流側ダクト４６内に霧状の液体（ミスト）を漂わせることができ、且つ、下流側ダクト４６の内壁面４６ｂ及び送風機６５の内側（ファンなど）を、噴霧した液体（ミスト）により濡らすことができる。その結果、液体（ミスト）で濡れた下流側ダクト４６の内壁面４６ｂ及び送風機６５の内部（ファンなど）に、電池１００の安全弁１１３ｊを通じて排出された粉塵を、効果的に付着（吸着）させて捕捉することができる。これにより、電池１００内から排出された粉塵が、自動車室内や自動車の外部に飛散しないようにできる。
【００７８】
さらに、本変形形態３の収容ケース４４０は、実施形態の収容ケース４０と異なる下側収容部材４３０を有している。具体的には、本変形形態の下側収容部材４３０は、実施形態の下側収容部材３０と比較して、液体排出口３３の位置が異なっている。より具体的には、実施形態の下側収容部材３０及び変形形態の下側収容部材４３０では、いずれも、液体排出口３３を下流側ダクト４６に近い位置に配置しているが、実施形態と変形形態では、前述のように下流側ダクト４６の位置が異なっている（図１０において左右反対）ため、液体排出口３３の位置が異なっている。
【００７９】
このように、下流側ダクト４６に近い位置（ノズル１５に近い位置）に液体排出口３３を配置することで、液体噴霧装置４１０のノズル１５から噴霧された後に下側収容部材４３０の底部４３１の内面４３２上に落ちた液体（液滴）を、スムーズに液体排出口３３に集めることができ、液体排出口３３を通じて、冷却ガス流路Ｆ（収容ケース４０）の外部に排出することができる。
【００８０】
（変形形態４）
次に、本発明の変形形態４にかかる電池システム５８０について、図面を参照しつつ説明する。本変形形態４の電池システム５８０は、変形形態３の電池システム４８０と比較して、収容ケースの上流側ダクト及び下流側ダクトの位置が異なり（反対にしている）、その他については同様である。従って、ここでは、変形形態３と異なる点を中心に説明し、同様な点については説明を省略または簡略化する。
【００８１】
本変形形態４の収容ケース５４０は、変形形態３の収容ケース４４０と異なり、上流側ダクト５４５を収容ケース５４０の下方側に配置し、下流側ダクト５４６を収容ケース５４０の上方側に配置している（図１１参照）。そして、送風機（ブロワー）６５を、下流側ダクト５４６に設けている。
【００８２】
これにより、流速制御装置６１の制御によって、送風機６５の内部に設けられているファンを駆動（回転）させることにより、自動車室内の空気Ｇを吸引するようにして、上流側ダクト５４５を通じて、収容ケース４０の内部に空気Ｇを供給する。収容ケース４０の内部に供給された空気Ｇは、図１１に矢印で示すように、電池１００の下方から上方に向かって、電池１００の間を通過してゆき、その後、下流側ダクト５４６及び送風機６５を通じて、収容ケース４０の外部に排出される。この間において、冷却ガスである空気Ｇが電池１００に接触することで、電池１００を冷却することができる。
【００８３】
以上において、本発明を実施形態及び変形形態１〜４に即して説明したが、本発明は上記実施形態等に限定されるものではなく、その要旨を逸脱しない範囲で、適宜変更して適用できることはいうまでもない。
【００８４】
例えば、実施形態の電池システム８０では、抵抗測定装置７１において電池１００の異常が検出されたとき、流速制御装置６１によって、冷却ガス流路Ｆ内における冷却ガス（空気Ｇ)の流れを実質的に停止させる制御を行うようにした。しかしながら、冷却ガス流路Ｆ内における冷却ガス（空気Ｇ)の流れを停止させることなく、冷却ガスの流速を低減させる制御を行うようにしても良い。具体的には、例えば、送風機６３のファンの回転速度を低減させる制御を行うよにしても良い。
【００８５】
このように制御することにより、冷却ガス流路Ｆ内における冷却ガスの流速が低減するので、電池１００の安全弁１１３ｊが開弁して、電池１００の内部から直径５μｍ以下の微粒子を含む粉塵が排出された場合において、この粉塵が冷却ガス流路を下流側に流れてゆき難くなる（冷却ガス流路外へ排出され難くなる）。これにより、液体噴霧装置１０によって冷却ガス流路内に噴霧した液体（ミスト）により、粉塵を冷却ガス流路Ｆ内で捕捉しやすくなる。
【００８６】
また、実施形態の電池システム８０では、「冷却ガス流路内における冷却ガスの流れを実質的に停止させる」制御として、送風機６３の内部に設けられているファンの回転を完全に停止させる制御を行うようにした。しかしながら、送風機６３のファンの回転を極低速にする制御するようにしても良い。また、送風機６３のファンについて、正回転と逆回転とを低速で交互に行うように制御しても良い。このように制御しても、冷却ガス流路内における冷却ガスの流れを実質的に停止させることができる。
【００８７】
また、冷却ガス流路内における冷却ガスの流れを停止しなくても（送風機６３のファンの回転を止めなくても）良い。この場合でも、冷却ガス流路内の空中を漂うミスト（霧状の液体）や、ミストで濡れたダクトの内壁面・送風機６５の内側等で、粉塵を捕捉することができるので、自動車室内や自動車の外部に粉塵が飛散するのを防ぐことができる。
特に、電池１００よりも冷却ガス流路の下流側に、液体噴霧装置のノズルを配置した場合には、冷却ガスの流れを停止しなくても、電池１００から排出された粉塵を、効果的に捕捉することができる。電池１００から排出された粉塵が、冷却ガスの流れに伴って、ノズルが位置する下流側に運ばれてくるからである。
また、収容ケース４０内に配置されるリチウムイオン二次電池１００の数は、複数に限定されず、１つであっても良い。
【００８８】
また、実施形態の電池システム８０では、電池１００の異常昇温が検出されたときに、液体噴霧装置１０によって冷却ガス流路Ｆ内に液体（水）を噴霧するようにした。また、変形形態１の電池システム２８０では、電池１００の安全弁１１３ｊが開弁したと判断したときに、液体噴霧装置１０によって冷却ガス流路Ｆ内に液体（水）を噴霧するようにした。
【００８９】
しかしながら、このような場合に限らず、例えば、電池１００の温度が所定温度（例えば、冷却ガスの温度）を上回ったときには、液体噴霧装置１０によって冷却ガス流路Ｆ内に液体（水）を噴霧するようにしても良い。これにより、冷却ガスに加えて、液体（水）によっても、電池１００を冷却することができる。すなわち、液体噴霧装置１０によって噴霧した液体を、粉塵の補足のためだけに用いるのではなく、電池１００の冷却液としても用いるようにしても良い。
【符号の説明】
【００９０】
１０，３１０，４１０  液体噴霧装置
１５  ノズル
２０，４２０  上側収容部材
３０，４３０  下側収容部材
３１，４３１  底部
３２，４３２  底部の内面
３２ｂ，３２ｃ，３２ｄ，３２e  傾斜面
３３  液体排出口
４０，４４０，５４０  収容ケース
４５，５４５  上流側ダクト（ガス導入口、冷却媒体導入口）
４６，５４６  下流側ダクト（ガス排出口、冷却媒体排出口）
５０，２５０  コントローラ（制御手段）
６１  流速制御装置（流速制御手段）
６３  送風機
７１  抵抗測定装置（異常検出手段）
７３  ＰＴＣ素子（温度センサ）
１００  リチウムイオン二次電池
１１３ｊ  安全弁
２７３  電線
Ｇ  空気（冷却ガス、冷却媒体）
Ｆ  冷却ガス流路（冷却媒体流路）
【図１】
2014192028.tif 000003
【図２】
2014192028.tif 000004
【図３】
2014192028.tif 000005
【図４】
2014192028.tif 000006
【図５】
2014192028.tif 000007
【図６】
2014192028.tif 000008
【図７】
2014192028.tif 000009
【図８】
2014192028.tif 000010
【図９】
2014192028.tif 000011
【図１０】
2014192028.tif 000012
【図１１】
2014192028.tif 000013